(57)【特許請求の範囲】
【請求項１】
側壁が縦に角筒状に開かれ且つ内部に包装品が詰め込まれ二つの短尺下蓋片と二つの短尺上蓋片とが閉じられると共に長尺下蓋片と長尺上蓋片とが開いている段ボール箱を、前記短尺下蓋片を押さえ受けながら前記側壁の互いに反対方向を向いた側面壁をサンドイッチ垂直ベルトコンベアで挟圧しつつ移送し、前記両短尺上蓋片と前記両短尺下蓋片とにホットメルトを付着し、前記両長尺上蓋片及び前記両長尺下蓋片を前記段ボール箱の上方及び下方にそれぞれ対応して設けられた各一対の長尺上蓋片用ガイド及び長尺下蓋片用ガイドにより蓋閉じ方向に折り曲げ、前記段ボール箱の移送方向に対して直角に配置されたストッパを移送されている前記段ボール箱の前記側壁のうち移送前側の前面壁に当接させることによって前記段ボール箱を前記前面壁の前記側面壁に対する直角を出した状態で停止させ、停止中の前記段ボール箱をプレス板によって押圧することにより前記長尺上蓋片及び前記長尺下蓋片を前記短尺上蓋片又は前記短尺下蓋片にそれぞれ密着させて前記ホットメルトによる接着を図ることから成る段ボール箱の蓋片の閉じ合わせ方法。
【請求項２】
前記ストッパは、前記サンドイッチ垂直ベルトコンベアを上下で挟む位置に配置されていることから成る請求項１に記載の段ボール箱の蓋片の閉じ合わせ方法。
【発明の詳細な説明】
【０００１】
【産業上の利用分野】
本発明は、段ボール箱を偏平な状態から縦に角筒状に開いて二つの短尺下蓋片と二つの短尺上蓋片とを閉じ包装品を詰め込んだ該段ボール箱を、底から袋包装品が落下しないように移送しつつ二つの長尺下蓋片と二つの長尺上蓋片とを閉じかつホットメルト接着を行う段ボール箱の蓋片の閉じ合わせ方法に関する。
【０００２】
【従来の技術】
従来、縦に角筒状に開いて二つの短尺下蓋片を閉じ包装品を詰め込んだ段ボール箱を受け取って底から袋包装品が落下しないように移送しつつ、四つの上蓋片と二つの長尺下蓋片を閉じてホットメルト接着を行う装置が提案されている。例えば、特開平１−１５３４０３号公報には、箱体の底部のフラップを、箱体の内部に収容された物品の落下を防止しつつ折り込む箱体底部の後フラップ折込装置が開示されている。即ち、角筒状に成形された箱体がコンベヤ上を搬送され、グルーピングバーによって集合された物品の上方から被せられつつ、第１固定ガイド上に乗せられ、その後、第２固定ガイド及び第３固定ガイド上を搬送される間に、箱体の底部のフラップと天部のフラップとの折込みが行われ、接着剤を吹きつけてフラップの接着が行われている。また、特開昭５１−４２６９６号公報には、予め折り畳まれている蓋部フラップのうち、その外側フラップを一時的に開被し、つぎに内側フラップに糊付けを行い、つぎに再び外側フラップを折り畳み封函する段ボールケースの封函装置が開示されている。この封函装置によれば、段ボールケースがローラーコンベアー上に送り込まれ、その送り込みが検知されると、無端状チェーン間に懸架した移送竿が下方から段ボールケースの背面に当接して段ボールケースの移送が行われる。その移送中には、外側フラップの開被とその復帰が阻止されると共に、外側フラップが開いた状態で糊供給ノズルから内側フラップへの糊付けが行われ、公知の外側フラップ折畳装置によって外側フラップの折畳みが行われる。
【０００３】
【発明が解決しようとする課題】
本願出願人は、先にダンボールケーサーを開発した。該ダンボールケーサーは、段ボール箱を縦に角筒状に開いて二つの短尺下蓋片を閉じかつ段ボール箱内にエレベータを進入させて袋包装品を載せるたびに下降して袋包装品を多段に詰め込む構造である。該ダンボールケーサーは、袋包装品を詰め込むと四つの上蓋片と二つの長尺下蓋片が垂直に延びたままの状態で、段ボール箱を次のライン装置である蓋閉じ装置へ向かって搬出する。従って、かかる蓋閉じ装置は、縦に角筒状に開いて二つの短尺下蓋片を閉じ袋包装品を詰め込んだ段ボール箱を受け取って底から袋包装品が落下しないように移送しつつ、四つの上蓋片と二つの長尺下蓋片を閉じてホットメルト接着を行うことが必要となる。この際、偏平な状態から縦に角筒状に開いた段ボール箱では、角筒部の平面形状が平行四辺形になる傾向が強いので、正しく長方形になるように矯正する必要がある。
【０００４】
本発明の目的は、上述した点を考慮して案出したもので、段ボール箱を偏平な状態から縦に角筒状に開いて二つの短尺下蓋片を閉じ袋包装品を詰め込んだ該段ボール箱を、底から袋包装品が落下しないように移送し、平面形状が正しく長方形になるように矯正した状態で、長尺下蓋片を短尺下蓋片に確実にホットメルト接着を行うことを可能にする段ボール箱の蓋片の閉じ合わせ方法を提供することである。
【０００５】
【課題を解決するための手段】
上記の課題を解決するための手段として、本発明による段ボール箱の蓋片の閉じ合わせ方法は、側壁が縦に角筒状に開かれ且つ内部に包装品が詰め込まれ二つの短尺下蓋片と二つの短尺上蓋片とが閉じられると共に長尺下蓋片と長尺上蓋片とが開いている段ボール箱を、前記短尺下蓋片を押さえ受けながら前記側壁の互いに反対方向を向いた側面壁をサンドイッチ垂直ベルトコンベアで挟圧しつつ移送し、前記両短尺上蓋片と前記両短尺下蓋片とにホットメルトを付着し、前記両長尺上蓋片及び前記両長尺下蓋片を前記段ボール箱の上方及び下方にそれぞれ対応して設けられた各一対の長尺上蓋片用ガイド及び長尺下蓋片用ガイドにより蓋閉じ方向に折り曲げ、前記段ボール箱の移送方向に対して直角に配置されたストッパを移送されている前記段ボール箱の前記側壁のうち移送前側の前面壁に当接させることによって前記段ボール箱を前記前面壁の前記側面壁に対する直角を出した状態で停止させ、停止中の前記段ボール箱をプレス板によって押圧することにより前記長尺上蓋片及び前記長尺下蓋片を前記短尺上蓋片又は前記短尺下蓋片にそれぞれ密着させて前記ホットメルトによる接着を図ることから成っている。
この段ボール箱の蓋片の閉じ合わせ方法によれば、側壁が縦に角筒状に開かれた段ボール箱の内部には、袋包装品のような包装品が詰め込まれ、二つの短尺下蓋片と二つの短尺上蓋片とが閉じられる。この段階では、段ボール箱の長尺下蓋片と長尺上蓋片とは開いている状態にあるが、閉じられた短尺下蓋片を押さえ受けながら移送されるので、詰め込まれている包装品が段ボール箱から落下することはない。長尺下蓋片と長尺上蓋片とは開いているので、両短尺上蓋片と両短尺下蓋片とにホットメルトを付着することができる。その後、両長尺上蓋片及び両長尺下蓋片は、段ボール箱の上方及び下方にそれぞれ対応して設けられた各一対の長尺上蓋片用ガイド及び長尺下蓋片用ガイドにより蓋閉じ方向に折り曲げられる。段ボール箱の上蓋及び下蓋は、それぞれ上蓋片及び下蓋片の閉鎖を行う必要があるので、段ボール箱の搬送に用いるのは難しい。そこで、段ボール箱の互いに反対方向を向いた二つの側面壁を利用し、二つの側面壁をサンドイッチ垂直ベルトコンベアで挟圧することで、段ボール箱を移送する。側面壁をサンドイッチ垂直ベルトコンベアで挟圧しつつ移送される段ボール箱は、移送方向に対して直角に配置されたストッパが段ボール箱の側壁のうち移送前側の前面壁に当接することによって、角筒の側壁について前面壁の側面壁に対する直角を出した状態で停止する。停止中の直角を出した状態にある段ボール箱をプレス板によって押さえつけるので、長尺上蓋片と長尺下蓋片とはそれぞれ短尺上蓋片又は短尺下蓋片に密着させられ、平面形状が長方形のまま、ホットメルトによる接着を確実に行うことができる。
【０００６】
この段ボール箱の蓋片の閉じ合わせ方法において、前記ストッパについては前記サンドイッチ垂直ベルトコンベアを上下で挟む位置に配置することができる。ストッパをこのような位置で配置することにより、段ボール箱は、上下二カ所のストッパで確実に位置決めされ、移送方向について前後方向の傾斜を含めて側壁の直角を出した状態で停止することができる。
【０００７】
【実施例】
本発明による段ボール箱の蓋片の閉じ合わせ方法の実施例を図１ないし図４を参照して説明する。図１は、本発明の段ボール箱Ｗの蓋片の閉じ合わせ方法の実施例に係る装置の第一工程を示す図であり、図２は図１に示す装置の第二工程を示す図、図３は図１に示す装置の第三工程を示す図、そして図４は図１に示す装置の第四工程を示す図である。この実施例は、段ボール箱Ｗを偏平な状態から縦に角筒状に開いて二つの短尺下蓋片ｗ５，ｗ６を閉じ、内部に包装品としての複数個の袋包装品Ｈを詰め込んだ状態の該段ボール箱Ｗを、二本の短尺下部蓋片押え用レール１，１の上に受け取ってかつサンドイッチ垂直ベルトコンベア２により移送を行い、該移送中に短尺上蓋片ｗ１，ｗ２を閉じ、その後、短尺上蓋片ｗ１，ｗ２及び短尺下蓋片ｗ５，ｗ６にホットメルトＭを付着し、さらにその後、長尺上蓋片ｗ３，ｗ４及び長尺下蓋片ｗ７，ｗ８を閉じ、その際に段ボール箱Ｗの前面壁ｗ１１と側面壁ｗ９，ｗ１０の直角を出してからプレスして短尺上蓋片ｗ１，ｗ２と長尺上蓋片ｗ３，ｗ４のホットメルト接着及び短尺下蓋片ｗ５，ｗ６と長尺下蓋片ｗ７，ｗ８のホットメルト接着を行うようにしたものである。
【０００８】
段ボール箱Ｗは、当初、偏平状から縦に角筒状に開いて二つの短尺下蓋片ｗ５，ｗ６を閉じ残り四つの上蓋片ｗ１，ｗ２，ｗ３，ｗ４と二つの長尺下蓋片ｗ７，ｗ８が垂直に開いているときに袋包装品Ｈが詰め込まれる。この状態の段ボール箱Ｗは、二つの長尺下蓋片ｗ７，ｗ８が二本の短尺下部蓋片押え用レール１，１の両側に垂れるように、該二本の短尺下部蓋片押え用レール１，１で受け止められるとともに、段ボール箱Ｗの長尺な両側側面壁ｗ９，ｗ１０をサンドイッチ垂直ベルトコンベア２で挟圧して移送される。段ボール箱Ｗは、移送中に、前側短尺上蓋片ｗ１が、段ボール箱Ｗの移送方向に延びた短尺上蓋片押え用帯状板３の走行方向後端部の後方へ向かって傾斜上昇している折込みガイド部３ａの折込み作用により水平に折曲げられ、次いで、段ボール箱Ｗの後側短尺上蓋片ｗ２が、前記短尺上蓋片押え用帯状板３の折込みガイド部３ａに近接した時点で、後側短尺上蓋片押し倒し手段４によって蓋閉じ方向に押し倒されて短尺上蓋片押え用帯状板３により押え込まれる。
【０００９】
短尺上蓋片ｗ１，ｗ２、及び短尺下蓋片ｗ５，ｗ６が閉じられた状態で、上下にそれぞれ配設されている吹き付けノズル５，６によってホットメルトＭが前側短尺上蓋片ｗ１と後側短尺上蓋片ｗ２及び前側短尺下蓋片ｗ５と後側短尺下蓋片ｗ６に吹き付けられて付着される。次いで、段ボール箱Ｗの両側の長尺上蓋片ｗ３，ｗ４及び長尺下蓋片ｗ７，ｗ８が段ボール箱Ｗの上方及び下方にそれぞれ対応して設けられている各一対の三次元に所要傾斜した長尺上蓋片用ガイド７及び長尺下蓋片用ガイド８によって蓋閉じ方向に折り曲げられる。次いで、段ボール箱Ｗが、サンドイッチ垂直ベルトコンベア２による移送中に二本の短尺下部蓋片押え用レール１，１からローラーテーブル９に移載して後、段ボール箱Ｗの長尺面に対して直角に設けられた上下のストッパ１１，１２が段ボール箱Ｗの前面壁ｗ１１に当接する。この当接時、角筒が平面断面形状で見て平行四辺形になっていたとしても、サンドイッチ垂直ベルトコンベア２からの送り力によって、前面壁ｗ１１の側面壁ｗ９，ｗ１０に対する直角が出される。段ボール箱Ｗは直角が出された状態で移送が停止され、その後、段ボール箱Ｗの上方に設けられたプレス板１０が下降して、長尺上蓋片ｗ３，ｗ４及び長尺下蓋片ｗ７，ｗ８は短尺上蓋片ｗ１，ｗ２又は短尺下蓋片ｗ５，ｗ６にそれぞれ密着させられて確実なホットメルト接着が図られる。最後に、プレス板１０が上昇し、段ボール箱Ｗは移送の再開によって搬出される。
【００１０】
詳述すると、図１に示すように、上記箱詰めされた段ボール箱Ｗが二本の短尺下部蓋片押え用レール１，１上に供給されると、第一センサー１３が段ボール箱Ｗを検知し、第一センサー１３の立ち上がりパルス信号がコントローラ１４へ出力される。このパルス信号の出力に応じて、コントローラ１４がサーボモータ２ａ，２ｂの図示しないモータドライバーに駆動開始信号を出力し、サンドイッチ垂直ベルトコンベア２が駆動するとともに、第三エアシリンダ装置１１ａ及び第四エアシリンダ装置１２ａに対して縮小作動信号を出力して上側ストッパ１１を下降させるとともに、下側ストッパ１２を上昇させる。サンドイッチ垂直ベルトコンベア２は、それぞれ独立したサーボモータ２ａ，２ｂにより駆動される一対のタイミングベルト巻掛け機構２ｃ，２ｄを間隔調整自在に有し、段ボール箱Ｗの大きさに合わせて調整され、段ボール箱Ｗの両側の長尺な側面壁ｗ９，ｗ１０を挟持し移送する。短尺上蓋片押え用帯状板３は、帯板製であって段ボール箱Ｗの移送方向に延びており、段ボール箱受入れ側の端部の折込みガイド部３ａは、後方へ向かって傾斜上昇していて段ボール箱Ｗの前側短尺上蓋片ｗ１を折曲げ閉じる。次いで、段ボール箱Ｗの後端が第一センサー１３を通過すると、第一センサー１３の立ち下がりパルス信号がコントローラ１４へ出力され、コントローラ１４が第一エアシリンダ装置４ａに対して伸長駆動信号を出力する。伸長駆動信号の出力に応答して、第一エアシリンダ装置４ａが伸長して、ハンマー４ｂが後側短尺上蓋片ｗ２を蓋閉じ方向に押し倒す。引き続き行われる段ボール箱Ｗの移送によって、前側短尺上蓋片ｗ１と後側短尺上蓋片ｗ２が短尺上蓋片押え用帯状板３により閉じた状態に押えられる。
【００１１】
次に、図２に示すように、段ボール箱Ｗの前側短尺上蓋片ｗ１と後側短尺上蓋片ｗ２及び前側短尺下蓋片ｗ５と後側短尺下蓋片ｗ６が、それぞれ上下の吹き付けノズル５，６を通過するとき、吹き着けノズル５，６はホットメルトＭを噴射し、噴射されたホットメルトＭが前側短尺上蓋片ｗ１と後側短尺上蓋片ｗ２及び前側短尺下蓋片ｗ５と後側短尺下蓋片ｗ６に付着する。この場合、段ボール箱Ｗの前端が第二センサー１５を通過すると、第二センサー１５の立ち上がりパルス信号がコントローラ１４へ出力され、コントローラ１４が前側短尺上蓋片ｗ１と前側短尺下蓋片ｗ５が吹き着けノズル５，６による吹付け位置を通過する時間を割り出すとともに、後側短尺上蓋片ｗ２と後側短尺下蓋片ｗ６が吹着け位置を通過する時間を割り出し、それぞれの通過時間中だけ上下の吹き着けノズル５，６の噴射バルブに対して開弁信号を出力する。
【００１２】
続いて、図３に示すように、前述した二つの短尺下蓋片ｗ５，ｗ６が閉じられ二つの長尺下蓋片ｗ７，ｗ８が垂直に開き、前側短尺上蓋片ｗ１と後側短尺上蓋片ｗ２が短尺上蓋片押え用帯状板３により閉じられた段ボール箱Ｗが、上下に対称に設けられた一対の長尺上蓋片用ガイド７及び長尺下蓋片用ガイド８を通過しようとするとき、両ガイド７，８によって段ボール箱Ｗの両側の長尺上蓋片ｗ３，ｗ４と長尺下蓋片ｗ７，ｗ８とが蓋閉じ方向に折曲げられる。長尺上蓋片用ガイド７及び長尺下蓋片用ガイド８は、段ボール箱Ｗの進入側端部７ａ，８ａが間隔が広くかつ垂直に立ち上がった長尺上蓋片ｗ３，ｗ４の上部及び垂直に垂れ下がった長尺下蓋片の下部を挟入案内する役目を果たす。両ガイド７，８は、各進入側端部より反対側端部へ向かって次第に間隔を狭めてかつ傾斜していて、長尺上蓋片ｗ３，ｗ４及び長尺下蓋片ｗ７，ｗ８を閉じるように折込み案内し、各反対側端部がそれぞれ、両側の長尺上蓋片ｗ３，ｗ４を短尺上蓋片ｗ１，ｗ２に及び両側の長尺下蓋片ｗ７，ｗ８を短尺下蓋片ｗ５，ｗ６に密着が行われない限度に閉じ合わせる。
【００１３】
引き続いて、図４に示すように、両長尺上蓋片ｗ３，ｗ４を短尺上蓋片ｗ１，ｗ２に及び両長尺下蓋片ｗ７，ｗ８を短尺下蓋片ｗ５，ｗ６に密着させない限度に閉じ合わされた段ボール箱Ｗが、二本の短尺下蓋片押え用レール１，１からローラーテーブル９に移載される。段ボール箱Ｗがローラーテーブル９上でサンドイッチ垂直ベルトコンベア２の上下で配置・作動するストッパ１１，１２に当接すると、第三センサー１６が段ボール箱Ｗを検知する。第三センサー１６の立ち上がりパルス信号がコントローラ１４へ出力され、コントローラ１４が所要時間経過後、例えば０．５秒後にサーボモータ２ａ，２ｂに対し駆動停止信号を出力するとともに、第二エアシリンダ装置１０ａに対して伸長作動信号を出力する。従って、第二エアシリンダ装置１０ａの伸長作動により、プレス板１０が下降して、段ボール箱Ｗの両長尺上蓋片ｗ３，ｗ４を強く押圧することにより、両長尺上蓋片ｗ３，ｗ４を前側短尺上蓋片ｗ１と後側短尺上蓋片ｗ２に密着させ、両長尺下蓋片ｗ７，ｗ８をローラテーブル９に押し付け、両長尺下蓋片ｗ７，ｗ８に前側短尺下蓋片ｗ５と後側短尺下蓋片ｗ６を密着する。この密着によって確実なホットメルト接着が図られ、図４（ｃ）に示す状態から図４（ｄ）に示す状態に移行する。次いで、コントローラ１４が更に所要時間経過後、例えば５〜１０秒後に第二エアシリンダ装置１０ａに対し縮小作動信号を出力するととも第三エアシリンダ装置１１ａ及び第四エアシリンダ装置１２ａに対し伸長作動信号を出力して、プレス板１０及び上下のストッパ１１，１２を解除した後、サーボモータ２ａ，２ｂに対し駆動信号を一定時間出力して段ボール箱Ｗの搬出を行い、サンドイッチ垂直ベルトコンベア２の駆動を停止する。
【００１４】
この実施例では、上側ストッパ１１及び下側ストッパ１２がサンドイッチ垂直ベルトコンベア２を挟んで上下対称に設けられ、段ボール箱Ｗの直角出しが行われる。上下のストッパ１１，１２は、それぞれ段ボール箱Ｗの長尺面に対して平面方向に見て直角になっている当接停止面を有している。図１（ｂ）に示すように、段ボール箱Ｗが、前面壁ｗ１１と一方の側面壁ｗ９の角度が鋭角、例えば、前面壁ｗ１１ともう一方の側面壁ｗ１０の角度が鈍角、例えば１００°と偏平した平行八面体の形状でストッパ１１，１２に当接すると、サンドイッチ垂直ベルトコンベア２の駆動停止が０．５秒遅れて行われる間に、平行八面体は直方体に矯正される。詳述すると、前面壁ｗ１１と一方の側面壁ｗ９の角度が鋭角であるコーナーが上下のストッパ１１，１２に先に当接し、前面壁ｗ１１ともう一方の側面壁ｗ１０の角度が鈍角であるコーナーが上下のストッパ１１，１２に後から当接することになり、上下のストッパ１１，１２に先に当接するコーナーの方の側面壁ｗ９がストッパ１１，１２に後から当接するコーナーが当接するまでの間、上下のストッパ１１，１２に先に当接するコーナーの方の側面壁ｗ９を密着しているタイミングベルト２ｃ’に滑りを生じ、その結果、図４（ｂ）に示すように、前面壁ｗ１１と両側の側面壁ｗ９，ｗ１０の角度がそれぞれ９０°となるように矯正される。なお、前面壁ｗ１１と側面壁ｗ９，ｗ１０の角度が鈍角であるコーナーの側のサーボモータ２ｂを反対側のサーボモータ２ａに対して若干速く回転して段ボール箱Ｗが上下のストッパ１１，１２に当接するまでに両側のコーナー角がそれぞれ９０°となるようにするのが好ましい。
【００１５】
【発明の効果】
以上説明してきたように、本発明の段ボール箱の蓋片の閉じ合わせ方法によれば、段ボール箱を偏平な状態から縦に角筒状に開いて両短尺下蓋片と両短尺上蓋片を閉じ袋包装品を詰め込んだ段ボール箱を、底から袋包装品が落下しないように互いに反対方向を向いた側面壁をサンドイッチ垂直ベルトコンベアで挟圧しつつ移送し、且つストッパとの当接によって段ボール箱の前面壁の側面壁に対する直角出しを行った状態で、両長尺上蓋片と両長尺下蓋片をそれぞれ両短尺下蓋片と両短尺下蓋片にホットメルト接着を行うので、段ボール箱包装体を、角筒部が正しく直方体に開かれた状態で且つ見栄えの良い状態で製作することができる。
【図面の簡単な説明】
【図１】  （ａ）は本発明の段ボール箱Ｗの上蓋片の閉じ合わせ方法の実施例に係る装置の第一工程を示す正面図、（ｂ）は（ａ）におけるＩｂ−Ｉｂ図、（ｃ）は（ａ）におけるＩｃ−Ｉｃ図である。
【図２】  （ａ）は第二工程を示す正面図、（ｂ）は（ａ）における ＩＩｂ−ＩＩｂ図、（ｃ）は（ａ）における ＩＩｃ−ＩＩｃ図である。
【図３】  （ａ）は第三工程を示す正面図、（ｂ）は（ａ）におけるＩＩＩｂ−ＩＩＩｂ図、（ｃ）は（ａ）におけるＩＩＩｃ−ＩＩＩｃ図である。
【図４】  （ａ）は第四工程を示す正面図、（ｂ）は（ａ）におけるＩＶｂ−ＩＶｂ図、（ｃ）は（ａ）におけるＩＶｃ−ＩＶｃ図、（ｄ）は（ｃ）の所要時間経過後の状態を示す図である。
【符号の説明】
Ｗ            ・・・段ボール箱
ｗ１          ・・・前側短尺上蓋片        ｗ２  ・・・後側短尺上蓋片
ｗ３，ｗ４    ・・・長尺上蓋片
ｗ５          ・・・後側短尺下蓋片        ｗ６  ・・・後側短尺下蓋片
ｗ７，ｗ８    ・・・長尺下蓋片
ｗ９，ｗ１０  ・・・長尺な両側側面壁
Ｈ            ・・・袋包装品              Ｍ    ・・・ホットメルト
１            ・・・短尺下部蓋片押え用レール
２            ・・・サンドイッチ垂直ベルトコンベア
３            ・・・短尺上蓋片押え用帯状板
３ａ          ・・・折込みガイド部
４            ・・・後側短尺上蓋片押し倒し手段
５，６        ・・・吹き付けノズル
７，８        ・・・長尺蓋片用ガイド
９            ・・・ローラーテーブル
１０          ・・・プレス板
【図１】
0003768541.tif 000002
【図２】
0003768541.tif 000003
【図３】
0003768541.tif 000004
【図４】
0003768541.tif 000005